(57)【要約】【課題】  水中又は海中への投入時に手作業を要せず、しかも部品点数を削減できる構造の電界検出器を提供する。【解決手段】  電界検出器は、図示のような構造の筐体１を備える。筐体１は開口２、円柱体１ａ、支軸１ｂ及び環状壁１ｃを有する。円柱体１ａは、小径の先端部１ａ１と、大径の基端部１ａ２とからなる。筐体１の外壁内面と先端部１ａ１の外周面との間に水溶紙３が配置され、筐体１の外壁内面と基端部１ａ２の外周面との間にホルダ４が配置されている。ホルダ４は、当該ホルダ４を押圧するバネ５と基端部１ａ２の外周面に圧接されるＯリング６とを有する。不使用時は、水溶紙３により開口２から空間Ｂに至る液路７が塞がれている。水中又は海中へ投入すると、水溶紙３が液体で分解・分散して無くなり、液体が開口２及び液路７を通じて空間Ｂに浸入する。【選択図】      図１
2009042136.tif 000002
【特許請求の範囲】
【請求項１】
筐体と、筐体内部の空間に配置された電極と、筐体に形成されて筐体内部の空間と筐体外部を連通する液路とを備える電界検出器において、
前記液路を水溶性部材で塞いでなることを特徴とする電界検出器。
【請求項２】
前記水溶性部材は水溶紙であることを特徴とする請求項１記載の電界検出器。
【発明の詳細な説明】
【技術分野】
【０００１】
本発明は、水中又は海中で使用する電界検出器に関する。
【背景技術】
【０００２】
例えば、水中又は海中で電位を測定するために使用する電界検出器には、筐体内部に電極の他に差動アンプ、時限遅動回路、スイッチ等を備えるものがある（例えば、特許文献１参照）。
【０００３】
そのようなものも含めて水中又は海中で使用する電界検出器は、筐体構造として、例えば図３に示すような構造を採用している。この電界検出器は、筒状のケース体２０の内部空間に電極（図示せず）が配置され、内部空間とケース体２０の外部とを連通する開口（図示せず）がケース体２０に形成されている。ケース体２０の開口側には、キャップ３０がケース体２０の開口側の外周壁に形成されたネジ部２１に螺合されることで取付けられ、キャップ３０によりケース体２０の内部空間の防水性が維持される。なお、キャップ３０の内側にはＯリング３１が設けられているので、より高い防水性が確保される。
【０００４】
この電界検出器では、使用しないとき（水中又は海中に投入しないとき）は、ケース体２０の内部空間はＯリング３１付のキャップ３０により密閉状態にある〔図３の（ａ）〕。
【０００５】
上記の電界検出器を水中又は海中に投入する場合は、図３の（ｂ）のようにキャップ３０を取り外して、電界検出器を水中又は海中に投入すると、水がケース体２０の開口から内部空間に浸入する。
【特許文献１】特開２００３−２６０８８号公報
【発明の開示】
【発明が解決しようとする課題】
【０００６】
上記のような電界検出器は、水中又は海中に投入する場合に、ケース体２０にネジ止めされているキャップ３０を回してケース体２０から外さなければならず、面倒な手作業を必要とする構造になっている。従って、電界検出器を他の装置と組み合わせたり組み込むことにより、水中又は海中に投入するときに、そのような手作業が行えない状況である場合には、上記のような電界検出器は使用することができない。
【０００７】
この発明は、そのような問題点に着目してなされたもので、水中又は海中への投入時に手作業を要せず、しかも部品点数を削減できる構造の電界検出器を提供することを目的とする。
【課題を解決するための手段】
【０００８】
前記目的を達成するために、本発明の電界検出器は、筐体と、筐体内部の空間に配置された電極と、筐体に形成されて筐体内部の空間と筐体外部を連通する液路とを備えるものにおいて、前記液路を水溶性部材で塞いでなることを特徴とする。
【０００９】
この電界検出器によれば、不使用時（水中又は海中に投入しない時）は、液路が水溶性部材で塞がれているため、筐体内部は密閉状態が保たれている。水中又は海中に投入すると、水溶性部材が液体と接触することで分解して液中へ分散するため、液路が開放され、液体が液路を通じて筐体内部に入り、電極と接触する。
【００１０】
本発明において、水溶性部材は、不使用時（水中又は海中に投入しない時）には筐体内部を気密に保ち、水中又は海中に投入されると速やかに分解・分散して液路を開放する作用を有するものであれば特定されないが、例えば、水溶紙を用いるのが良い。この場合、水溶紙を融着や接着により所定の形状（図１の例では環状）に固化・形成する。この固化した水溶紙を、例えば、海水取り込み口（図１の例では開口２）付近において、電界検出器のケース（同筐体１）とホルダ（同ホルダ４）との間のスペーサとして挟み込む（図１参照）。
【００１１】
なお、水溶紙の他には、高分子ゲルなどが使用可能である。
【発明の効果】
【００１２】
本発明によれば、水溶性部材がシール機能と液体を取り込む機能を併有しているため、水中又は海中への投入時に蓋の交換という従来の手作業を必要としないだけでなく、水中又は海中に投入すると同時に筐体外部の液体を筐体内部に取り込むことができる。しかも、液路を覆うのは１つの水溶性部材だけでよいので、部品点数を低減できる。
【発明を実施するための最良の形態】
【００１３】
以下、本発明を実施の形態に基づいて説明する。
【００１４】
実施形態に係る電界検出器の概略要部断面図を図１及び図２に示す。但し、図１は水溶性部材としての水溶紙３が存在する状態を示し、図２は水溶紙３が分解・分散により無くなった状態を示す。
【００１５】
この電界検出器は、図示のような構造の筒状の筐体１を備える。筐体１は、円形の開口２と、開口２の内側に位置する円柱体１ａと、円柱体１ａの中心から延出して円柱体１ａを支持する支軸１ｂと、筐体１の外壁内面に間隔を置いて対向する環状壁１ｃとを有する。円柱体１ａは、小径の先端部１ａ１と、大径の基端部１ａ２とからなり、環状壁１ｃは基端部１ａ２付近まで延びている。筐体１の内部の空間Ｂは、円柱体１ａ(基端部１ａ２)及び環状壁１ｃで包囲されることにより形成される。
【００１６】
水溶紙３は環状を呈し、筐体１の外壁内面と円柱体１ａの先端部１ａ１の外周面との間隙を埋めるスペーサとしての機能を有するだけでなく、筐体１の外壁内面と先端部１ａ１の外周面とに圧接されることで両者の間隙を閉じる。つまり、水溶紙３により筐体１の開口２から空間Ｂに至る液路７（図２）が塞がれる。
【００１７】
水溶紙３の内側には、環状のホルダ４が円柱体１ａの基端部１ａ２の外周面に当接するように配置されている。ホルダ４は、筐体１の外壁内面と環状壁１ｃとにより形成された空間に配置されたバネ５と、円柱体１ａの基端部１ａ２の外周面に圧接されたＯリング６とを有する。Ｏリング６は、不使用時での空間Ｂの気密性をより高めるためのものである。このホルダ４は、常時、圧縮状態のバネ５の付勢により水溶紙３に押圧されている。
【００１８】
このように構成した電界検出器は、実際には例えば図３に示す従来の電界検出器のＡ−Ａ線よりも先端側に設けられるものである。この場合、筐体１の外壁がケース体２０に一体に連続し、そのケース体２０の内部にコード線（図示せず）に接続された電極（図示せず）が配置された様態になる。
【００１９】
この電界検出器では、不使用時（水中又は海中に投入しない時）は、図１に示すように、水溶紙３が液体（水）に接触しないので、水溶紙３により筐体１の開口２から空間Ｂに至る液路７が閉じられ、筐体１の内部の空間Ｂは外部の空間Ａとは遮断された密閉状態にある。
【００２０】
電界検出器を水中又は海中に投入すると、水溶紙３が液体と接触することで、その組織が分解し、水溶紙３は筐体１の外部の液中へ分散し、スペーサとしての機能が無くなる。これにより、図２に示すように水溶紙３が無くなり、液路７が開放されるので、バネ５の付勢によりホルダ４が開口２側に移動し、液路７が開き、液体Ｃ（水）が開口２及び液路７を通じて空間Ｂに浸入し（矢印）、内部の電極と接触する。
【００２１】
この電界検出器によれば、水溶紙３がシール機能と液体を取り込む機能を併有しているため、水中又は海中へはそのまま投入すればよく、従来のように水中又は海中への投入時に蓋を取り替える手作業は必要としないだけでなく、水中又は海中に投入すると水溶紙３が自然に分解・分散して無くなるのと同時に筐体１の外部の液体を筐体１の空間Ｂに取り込むことができる。しかも、開口２を覆うのは１つの水溶紙３だけでよいので、従来のような２つの蓋を要せず、部品点数を低減できる。
【図面の簡単な説明】
【００２２】
【図１】実施形態に係る電界検出器の不使用時の概略要部断面図である。
【図２】実施形態に係る電界検出器の使用時の概略要部断面図である。
【図３】従来例に係る電界検出器の不使用時の概略図（ａ）、及び使用時の概略図（ｂ）である。
【符号の説明】
【００２３】
１        筐体
１ａ      円柱体
１ｂ      支軸
１ｃ      環状壁
１ａ１    先端部
１ａ２    基端部
２        開口
３        水溶紙（水溶性部材）
４        ホルダ
５        バネ
６        Ｏリング
７        液路
２０      ケース体
【図１】
2009042136.tif 000003
【図２】
2009042136.tif 000004
【図３】
2009042136.tif 000005